(57)【特許請求の範囲】
【請求項１】
前面パネルと記録媒体挿入部を備え、前面パネルが装置本体に対してほぼ平行になる第１の所定位置と装置本体に対して任意の角度になる第２の所定位置とに移動可能に支持されたパネルメカと、装置本体に内蔵された記録媒体再生部と、記録媒体挿入部に記録媒体が挿入されたことを検出する記録媒体検出手段と、パネルメカが第２の所定位置にある時に記録媒体検出手段の検出信号によってパネルメカを第１の所定位置に移動させる制御手段とを備えたことを特徴とするディスク再生装置。
【請求項２】
請求項１記載の記録媒体再生装置において、制御手段は、さらに、パネルメカが第１の所定位置に移動してから一定時間経過後に、パネルメカを第２の所定位置に移動させることを特徴とする記録媒体再生装置。
【発明の詳細な説明】
【０００１】
【発明の属する技術分野】
本発明は記録媒体再生装置に関する。
【０００２】
【従来の技術】
従来の記録媒体再生装置、例えば車載用カセットデッキ等では、表示部等を具備した前面パネルが装置本体に対して平行になる非調整位置と装置本体に対して任意の角度になる調整位置とに移動可能に支持されたものがあったが、前面パネルと記録媒体挿入部を備えたパネルメカが移動可能になっている形態のものはなかった。
【０００３】
【発明が解決しようとする課題】
本発明の目的は、新規構造のパネルメカを備えた記録媒体再生装置を提供することにある。
【０００４】
【課題を解決するための手段】
本発明による記録媒体再生装置は、請求項１に記載のように、
前面パネルと記録媒体挿入部を備え、前面パネルが装置本体に対してほぼ平行になる第１の所定位置と装置本体に対して任意の角度になる第２の所定位置とに移動可能に支持されたパネルメカと、装置本体に内蔵された記録媒体再生部と、記録媒体挿入部に記録媒体が挿入されたことを検出する記録媒体検出手段と、パネルメカが第２の所定位置にある時に記録媒体検出手段の検出信号によってパネルメカを第１の所定位置に移動させる制御手段とを備えたことを特徴とする。
【０００５】
また、本発明による記録媒体再生装置は、請求項２に記載のように、
請求項１記載の記録媒体再生装置において、制御手段は、さらに、パネルメカが第１の所定位置に移動してから一定時間経過後に、パネルメカを第２の所定位置に移動させることを特徴とする。
【０００６】
【発明の実施の形態】
以下、本発明による記録媒体再生装置の一実施例を図面に基づいて説明する。図面は本発明の説明に要する部分のみを概略的に表わし、図１は部分斜視図であり、（Ａ）は非調整位置にある状態、（Ｂ）は調整位置にある状態を示す。図２は部分断面図であり、（Ａ）は非調整位置にある状態、（Ｂ）は調整位置にある状態を示す。
【０００７】
図面において、１は記録媒体再生装置の本体であり、記録媒体（例えばＭＤ（ミニディスク））再生部２を内蔵し、その前面にパネルメカ３を備えている。パネルメカ３は、表示部４ａ等を具備する前面パネル４と、記録媒体挿入部５とを備えている。
【０００８】
前面パネル４は、装置本体１に固定されたサブパネル６の両側に設けられた支持部７の長穴７ａに、上部の両端に設けられた支持軸４ｂ（図示しない）が、装置本体１に対して平行もしくはほぼ平行になる非調整位置Ｐ１（図１（Ａ）及び図２（Ａ）に示される位置）と装置本体１に対して任意の角度になる調整位置Ｐ２（（図１（Ｂ）及び図２（Ｂ）に示される位置）とに移動可能に軸支されると共に、モータ等の駆動手段（図示しない）によって装置本体１の両側面の内側で内外に移動する２つのＬ型移動部材８に回転可能に支持されている。
【０００９】
記録媒体挿入部５は、前面パネル４の下方の位置で前面パネル４にヒンジ（図示しない）で連結されると共に、Ｌ型移動部材８に固定され、前面パネル４が非調整位置Ｐ１にあるときに装置本体１に接し、前面パネル４が調整位置Ｐ２にあるときに装置本体１から離れて前方に水平に突出するように配置されている。
また、記録媒体挿入部５には、挿入口５ａと操作キー１０は設けられており、挿入口５ａ内にＭＤディスク１１が挿入されたことを検出する記録媒体検出センサ（例えばフォトセンサ）９が適宜な位置（例えば、挿入口５ａ内の上部及び下部）に取り付けられている。
【００１０】
また、操作キー１０を操作すると、装置の動作機能を指令するための指令信号が、装置の全体動作を制御するマイクロコンピュータ（図示しないが、以下マイコンと呼ぶ）に供給され、記録媒体再生部２の動作が制御される。
【００１１】
上記の構造において、前面パネル４（または他の位置）にある任意の操作キー１０の操作により、駆動手段によるＬ型移動部材８の移動によってパネルメカ３を図１（Ａ）に示す非調整位置（クローズ位置）Ｐ１から図１（Ｂ）に示す調整位置（オープン位置）Ｐ２へまたはその逆に調整位置（オープン位置）Ｐ２から非調整位置（クローズ位置）Ｐ１へ移動させることができ、前面パネル４の角度を調整して表示部４ａを見やすい位置または操作キー１０の操作をし易い位置にすることができる。
【００１２】
そこで、図２（Ａ）に示すようにパネルメカ３が非調整位置Ｐ１にある場合に、ＭＤディスク１１を挿入口５ａに挿入することにより、ＭＤディスク１１を挿入口５ａから記録媒体再生部２にローディングする（引き込む）ことができる。
【００１３】
次に、図２（Ｂ）に示すようにパネルメカ３が調整位置Ｐ２にあり、パネル角度が調整されていた場合に、ＭＤディスク１１を挿入口５ａに挿入すると、記録媒体検出センサ９がオン（ディスクが挿入（通過）されると光が遮断されることによりディスク有を検出）して検出信号がマイコンに供給され、マイコンは検出信号が供給されかつパネルメカ３が調整位置Ｐ２にあることを判別すると、モータ等の駆動手段を起動し、Ｌ型移動部材８が本体内部方向に移動してパネルメカ３がクローズ動作し、図２（Ａ）に示す非調整位置Ｐ１に復帰する。
したがって、ＭＤディスク１１を挿入口５ａから記録媒体再生部２にローディングする（引き込む）ことができる。このとき、ＭＤディスク１１はパネルメカ３のクローズ動作に追従して最後まで手で挿入しても良いし、途中まで挿入すると搬送手段で自動的に引き込まれるように構成しても良い。
【００１４】
また、マイコンは、パネルメカ３のクローズ動作後ある一定時間経過したことを認識すると、再びモータ等の駆動手段を起動し、Ｌ型移動部材８が本体内部方向に移動してパネルメカ３を非調整位置Ｐ１から調整位置Ｐ２のラスト調整位置（すなわち、図２（Ｂ）に示す原調整位置）まで戻し、前面パネル４の角度を調整して表示部４ａを見やすい位置または操作キー１０の操作をし易い位置に復帰させることができる。
【００１５】
次に、上記の動作を図３に示すフローチャートで説明する。
まずステップＳ１で、記録媒体検出センサ９がオン状態か否かをマイコンで判別し、イエスならばＳ２に進み、パネルメカ３が調整位置Ｐ２にあるか否かをマイコンで判別し、イエスならばＳ３に進み、マイコンはパネルメカ３をクローズ制御する。
次いでＳ４で、パネルメカ３がクローズ位置Ｐ１になったか否かをマイコンで判別し、イエスならばＳ５に進み、マイコンに内蔵されている自動復帰タイマをスタートする。次いでＳ６で、自動復帰タイマがカウント終了したか否か（すなわち、クローズ位置に戻ってから所定時間経過したか否か）をマイコンで判別し、イエスならばＳ７に進む。
Ｓ７では、マイコンはパネルメカ３をオープン制御（ラスト調整位置Ｐ２へ）し、次いでＳ８で、パネルメカ３がラスト調整位置に達したか否かをマイコンで判別し、イエスならばＳ９に進み、マイコンはモータ等の駆動手段を停止させると共にパネルメカ３をブレーキ制御してストップさせ、次いで作業を終了する。
【００１６】
以上説明したように、パネルメカが調整位置Ｐ２にある際にもスムーズにディスクを再生部までローディングすることができる。また、メカニズム的にもインテリチックな動作をする。
【００１７】
【実施例】
以上本発明の実施の形態について、ＭＤディスクを対象として説明していたが、本発明はこれに限らず、カセットテープ等のオーディオソース系やビデオディスク等のビデオソース系を記録／再生する場合など種々の記録媒体再生装置に適用可能である。
【００１８】
【発明の効果】
本発明によれば、前面パネルと記録媒体挿入部を備えたパネルメカが非調整位置または調整位置のどちらの状態にあってもスムーズに記録媒体をローディングすることができる。
【図面の簡単な説明】
【図１】本発明による記録媒体再生装置の一実施例を示す部分斜視図であり、（Ａ）は非調整位置にある状態、（Ｂ）は調整位置にある状態を示す。
【図２】本発明による記録媒体再生装置の一実施例を示すは部分断面図であり、（Ａ）は非調整位置にある状態、（Ｂ）は調整位置にある状態を示す。
【図３】本発明の一連の動作を説明するフローチャートである。
【符号の説明】
１    装置本体
２    記録媒体再生部
３    パネルメカ
４    前面パネル
４ａ  表示部
５    記録媒体挿入部
５ａ  挿入口
６    サブパネル
７    支持部
７ａ  長穴
８    Ｌ型移動部材
９    記録媒体検出センサ
１０  操作キー
１１  ＭＤディスク
【図１】
0003567273.tif 000002
【図２】
0003567273.tif 000003
【図３】
0003567273.tif 000004